(57)【特許請求の範囲】
【請求項１】
順方向リンク確認応答チャネルの確立を容易にする方法であって、
確立された逆方向リンクからの通信を受信すること、
前記確立された逆方向リンクからの前記通信の復調のステータスを決定すること；
前記確立された逆方向リンクに関連するチャネル割当解除値として割当解除と非割当解除とのうちのいずれか一方を決定すること；及び
変調操作を用いて確認応答信号を生成すること、前記確認応答信号は、前記変調操作に関連する複数の状態のうちの１つをもち、当該１つの状態は前記ステータス及び前記チャネル割当解除値の両方を示す；
を含む方法。
【請求項２】
前記確認応答信号は、確認応答／非確認応答とチャネル割当解除／非割当解除との全ての組合せに対応し、前記確認応答／非確認応答とチャネル割当解除／非割当解除との全ての組合せは３つの状態をもつ３相シフトキーイング（ＰＳＫ）及びオフ状態として実装される請求項１記載の方法。
【請求項３】
ダイバーシティの促進のために、前記確認応答信号を複数の周波数領域に多重化することをさらに含む請求項１記載の方法。
【請求項４】
前記多重化は、対応するモバイル機器の識別子に基づく請求項３記載の方法。
【請求項５】
前記確認応答信号を、１つのタイル内の異なる複数のチャネルについての複数の確認応答信号を含む確認応答クラスタ中に拡散することをさらに含む請求項１記載の方法。
【請求項６】
少なくとも１つまたは複数の対応するモバイル機器の識別子に基づき、前記確認応答信号をスクランブルすることをさらに含む請求項５記載の方法。
【請求項７】
前記確認応答クラスタ内の前記複数の確認応答信号は、連続する配置内で、互いに直交する請求項５記載の方法。
【請求項８】
前記複数の確認応答信号は、各確認応答信号が少なくとも１つの他の確認応答信号と隣接するように、時間及び周波数に基づき連続する請求項７記載の方法。
【請求項９】
前記チャネル割当解除値に基づき、前記逆方向リンクを割当解除することをさらに含む請求項１記載の方法。
【請求項１０】
モバイル機器からの通信を受信することと、前記モバイル機器へ確認応答信号を送信することとをさらに含む請求項１記載の方法。
【請求項１１】
チャネル割当解除表示とともに逆方向リンク確認応答を送信することを容易にする無線通信装置であって、
モバイル機器についての持続逆方向リンクチャネルを管理する手段；
前記持続逆方向リンクチャネルを通じて通信を受信する手段；
変調操作を用いて確認応答信号を生成する手段、前記確認応答信号は、前記変調操作に関連する複数の状態のうちの１つをもち、当該１つの状態は前記ステータス及び前記チャネル割当解除値の両方を示す；及び
前記モバイル機器へ、前記確認応答信号を送信する手段；
を含む、無線通信装置。
【請求項１２】
前記確認応答信号を複数の周波数領域に多重化する手段をさらに含む請求項１１記載の無線通信装置。
【請求項１３】
前記確認応答信号を、相互に直交する確認応答信号の連続クラスタに拡散する手段をさらに含む請求項１１記載の無線通信装置。
【請求項１４】
前記確認応答信号は、確認応答／非確認応答とチャネル割当解除／非割当解除との全ての組合せに対応し、前記確認応答／非確認応答とチャネル割当解除／非割当解除との全ての組合せは３つの状態をもつ３相シフトキーイング（ＰＳＫ）及びオフ状態として実装される請求項１１記載の無線通信装置。
【請求項１５】
少なくとも１つのコンピュータに、確立された逆方向リンクからの通信の復調のステータスを決定させるコード；
前記少なくとも１つのコンピュータに、前記確立された逆方向リンクに関連するチャネル割当解除値として割当解除と非割当解除とのうちのいずれか一方を決定させるコード；及び
前記少なくとも１つのコンピュータに、変調操作を用いて確認応答信号を生成させるコード、前記確認応答信号は、前記変調操作に関連する複数の状態のうちの１つをもち、当該１つの状態は前記ステータス及び前記チャネル割当解除値の両方を示す；
を記憶するコンピュータ読み取り可能な記憶媒体。
【請求項１６】
前記少なくとも１つのコンピュータに、ダイバーシティの促進のために、前記確認応答信号を複数の周波数領域に多重化させるコード；及び
前記少なくとも１つのコンピュータに、前記確認応答信号を、１つのタイル内の異なる複数のチャネルについての複数の確認応答信号を含む確認応答クラスタ中に拡散するコード；
をさらに記憶する請求項１５記載のコンピュータ読み取り可能な記憶媒体。
【請求項１７】
逆方向リンクチャネルからの通信の復調のステータスを評価し、
チャネル割当解除値を前記逆方向リンクチャネルに関連付け、
変調操作を用いて確認応答信号を生成し、前記確認応答信号は、前記変調操作に関連する複数の状態のうちの１つをもち、当該１つの状態は前記ステータス及び前記チャネル割当解除値の両方を示し、前記確認応答信号は前記チャネル割当解除値として割当解除と非割当解除とのうちのいずれか一方を運び、
前記確認応答信号を送信するプロセッサ；及び
前記プロセッサに接続されたメモリ；
を含む無線通信装置。
【請求項１８】
基地局から受信され、変調操作により生成された確認応答信号を解釈する少なくとも１つのプロセッサと、前記確認応答信号は、前記変調操作に関連する複数の状態のうちの１つをもち、当該１つの状態は前記ステータス及び前記チャネル割当解除値の両方を示し、前記確認応答信号は前記確認応答値として確認応答と非確認応答とのうちのいずれか一方を運び、前記確認応答信号は前記チャネル割当解除値として割当解除と非割当解除とのうちのいずれか一方を運び、
前記少なくとも１つのプロセッサに接続されたメモリと、
を含む無線通信装置。
【請求項１９】
前記少なくとも１つのプロセッサは、さらに、前記基地局からの持続逆方向リンク通信チャネルを要求する請求項１８記載の無線通信装置。
【請求項２０】
前記少なくとも１つのプロセッサは、さらに、後に、前記確認応答信号の多重化と拡散とのうちの少なくとも１つに用いられる識別子を、前記要求とともに送信する請求項１９記載の無線通信装置。
【請求項２１】
前記少なくとも１つのプロセッサは、さらに、前記確認応答信号の多重化または拡散に基づき前記確認応答信号を確認する請求項２０記載の無線通信装置。
【請求項２２】
前記少なくとも１つのプロセッサは、さらに、前記チャネル割当解除値に基づき、異なる基地局からの新たな逆方向リンク通信チャネルを要求する請求項１８記載の無線通信装置。
【請求項２３】
前記少なくとも１つのプロセッサは、さらに、前記基地局へ１つまたは複数のデータブロックを送信し、前記確認応答は、前記基地局による前記複数のデータブロックの復調に基づく請求項１８記載の無線通信装置。
【請求項２４】
前記確認応答信号は、確認応答／非確認応答とチャネル割当解除／非割当解除との全ての組合せに対応し、前記確認応答／非確認応答とチャネル割当解除／非割当解除との全ての組合せは３つの状態をもつ３相シフトキーイング（ＰＳＫ）及びオフ状態として実装される請求項１８記載の無線通信装置。
【発明の詳細な説明】
【優先権の主張】
【０００１】
この出願は、２００６年１０月２４日出願のタイトルが“ACKNOWLEDGEMENT CHANNEL FOR A WIRELESS COMMUNICATION SYSTEM”である米国仮出願第６０／８６２，６４９に基づく利益を主張し、前記出願の全内容は、参照によりここに組み込まれる。
【技術分野】
【０００２】
以下の説明は、一般に、無線通信に関し、より詳しくは、無線通信システムにおける順方向リンク確認応答チャネルに関する。
【背景技術】
【０００３】
無線通信システムが広く配備され、例えば、音声、データなどのような種々のタイプの通信コンテンツが提供される。典型的な無線通信システムは、利用可能なシステムリソース（例えば、帯域、送信電力、…）を共有することにより、複数のユーザとの通信をサポートすることができる多元アクセスシステムが挙げられる。そのような多元アクセスシステムの例は、符号分割多元接続（ＣＤＭＡ：Code Division Multiple Access）システム、時分割多元接続（ＴＤＭＡ：Time Division Multiple Access）システム、周波数分割多元接続（ＦＤＭＡ：Frequency Division Multiple Access）システム、直交周波数分割多元接続（ＯＦＤＭ：Orthogonal Frequency Division Multiple）システムなどを含む。
【０００４】
一般に、無線多元接続通信システムは、同時に、複数のモバイル機器との通信をサポートし得る。各モバイル機器は、１つまたは複数の基地局と、順方向及び逆方向リンク条の送信を介して通信し得る。順方向リンク（あるいは下りリンク）は、基地局からモバイル機器への通信リンクのことをいい、逆方向リンクは（あるいは上りリンク）は、モバイル機器から基地局への通信リンクのことをいう。さらに、モバイル機器と基地局との間の通信は、一入力一出力（ＳＩＳＯ：Single Input Single Output）システム、多入力一出力（ＭＩＳＯ：Multiple Input Single Output）、多入力多出力（ＭＩＭＯ：Multiple Input Multiple Output）などを介して確立され得る。
【０００５】
そのようなシステムにおいて、確認応答パケットは、基地局からモバイル機器へ送信されて、データの一部分は正確に受信されたことを示す。確認応答は、モバイル機器から基地局へ（例えば逆方向リンクで）送信される全ての通信に対し実質的におきる。また、チャネルは、モバイル機器と基地局との間の各通信対し確立され、または、各通信に確立を要求しないように、ある程度維持され得る。
【発明の概要】
【０００６】
以下に、１つまたは複数の実施形態の簡単な要約を、その実施形態に対する基本的な理解を与えるために提示する。この要約は、意図される全ての実施形態についての広範囲にわたる概要ではなく、全ての実施形態の主要なまたは重要な要素を特定するものでも、任意のまたは全ての実施形態の範囲を描写するものでもない。その唯一の目的は、単純な形で、１つまたは複数の実施形態のいくつかの概念を、以下に示すより詳細な説明の前置きとして提示することである。
【０００７】
１つまたは複数の実施形態及び対応するそれらの開示によれば、受信されたデータブロックに対し、チャネルで複数の確認応答を通信することを容易にすることに関して、種々の側面が説明される。確認応答は、相互に直交する連続チャネルクラスタ内の複数の確認応答中に拡散されることがある。さらに、確認応答は、複数の周波数領域に多重化され、チャネル割当解除値を含むことがあり、持続性のあるチャネル操作性を提供する。
【０００８】
関連する側面によれば、順方向リンク確認応答チャネルの確立を容易にする方法が、ここに説明されている。該方法は、確立された逆方向リンクからの通信の復調のステータスを決定することと、該確立された逆方向リンクに関連するチャネル割当解除値を決定することと、を含む。該方法は、また、一部を前記ステータスと前記チャネル割当解除値に基づき選択された確認応答シンボルを復調することを含むことがある。
【０００９】
さらなる側面によれば、順方向リンク確認応答信号の解釈を容易にする方法もまた、ここに説明されている。該方法は、逆方向リンク通信を送信することと、複数の確認応答信号からなる連続クラスタを受信することと、を含み、該複数の確認応答信号のうちの少なくとも１つは、該逆方向リンク通信に対する復調ステータスを示す。さらに、該方法は、前記逆方向リンク通信に対する前記復調ステータスを示す確認応答信号を決定することをさらに含むことがある。
【００１０】
このような目的及びこれに関連する目的を達成するために、１つまたは複数の実施形態は、以下に充分説明され、特にクレームに指摘される特徴を含む。以下の説明及び添付の図面は、１つまたは複数の実施形態のある事例的な側面を詳細に説明する。これらの側面は、直接的ではあるが、種々の実施形態の要旨が適用される種々の方法のうちのほんの数例であり、説明される実施形態は、そのような側面及びそれらと同等なものを全て含む意図である。
【図面の簡単な説明】
【００１１】
【図１】ここに説明される種々の側面に従った無線通信システムの図。
【図２】無線通信環境内で適用するための通信装置の例を示す図。
【図３】順方向リンク確認応答チャネルを確立する無線通信システムの例を示す図。
【図４】基地局とモバイル機器との間の通信フレームの例を示す図。
【図５】連続確認応答クラスタリングを実装するための通信タイルの例を示す図。
【図６】確認応答及びチャネル割当解除インジケータの通信を容易にする手順の例を示す図。
【図７】確認応答及びチャネル割当解除インジケータの受信及び解釈を容易にする手順の例を示す図。
【図８】持続チャネルでの確認応答信号の受信を容易にするモバイル機器の例を示す図。
【図９】持続チャネルでの確認応答信号の送信を容易にするシステムの例を示す図。
【図１０】ここに説明される種々のシステム及び方法とともに適用され得る無線ネットワーク環境の例を示す図。
【図１１】確認応答信号を送信し、持続チャネルを管理するシステムの例を示す図。
【図１２】チャネル割当解除インジケータとともに確認応答信号を受信するシステムの例を示す図。
【発明を実施するための形態】
【００１２】
種々の実施形態が、ここに図面を参照して説明され、図面中では、同様の参照番号は同様の要素を参照するために用いられる。以下の説明では、説明の目的で、数々の特定の詳細が、１つまたは複数の実施形態を充分に理解できるようにするために説明される。しかし、そのような実施形態が、これらの特定の詳細なしに実施され得ることは明らかであろう。他の例において、よく知られた構成及び機器が、１または複数の実施形態の説明を容易にするために、ブロック図の形で示される。
【００１３】
この出願で用いられるように、“コンポーネント”“モジュール”“システム”等の用語は、コンピュータ関連のエンティティのことをいい、ハードウェア、ファームウェア、ハードウェア及びソフトウェアの組合せ、ソフトウェア、または実行中のソフトウェアのいずれかをいう。例えば、コンポーネントは、これに限定するものではないが、プロセッサ上で実行されるプロセス、プロセッサ、オブジェクト、実行ファイル、実行のスレッド、プログラム、及びまたはコンピュータであることがある。説明のために、コンピュータ機器で実行されるアプリケーション及びコンピュータ機器の両方は、コンポーネントであることがある。１または複数のコンポーネントは、プロセス及びまたは実行のスレッド内に存在することがあり、また、コンポーネントは、１つのコンピュータ及びまたは２つまたはそれより多い数のコンピュータ間に分散配置されることがある。さらに、これらコンポーネントは、種々のデータ構造が記憶されている種々のコンピュータ読み取り可能な媒体から実行されることがある。コンポーネントは、１または複数のデータパケット（例えば、ローカルシステムや分散システム内の他のコンポーネント、及びまたはインターネットのようなネットワークを介して信号により他のシステムを通じて、情報をやりとりするコンポーネントからのデータ）をもつ信号に従って、ローカル及びまたはリモートで、通信することができる。
【００１４】
さらに、種々の実施形態が、ここでは、モバイル機器に関連して説明される。モバイル機器は、システム、加入者機器、加入者局、モバイル局、モバイル、リモート局、リモート端末、アクセス端末、ユーザ端末、端末、無線通信機器、ユーザエージェント、ユーザ機器、ユーザ装置（ＵＥ：user equipment）とも呼ばれる。モバイル機器は、携帯電話、コードレス電話、ＳＩＰ（Session Initiation Protocol）電話、無線ローカルループ（ＷＬＬ：wireless local loop）局、ＰＤＡ（Personal Digital Assistant）、無線接続機能を有するハンドヘルド機器、コンピュータ機器、無線モデムに接続される他の処理機器であってもよい。さらに、種々の実施形態が、ここでは、基地局に関連付けて説明される。基地局は、１または複数のモバイル機器との通信のために用いられることがあり、アクセスポイント、ＮｏｄｅＢ、またはいくつかの他の用語でも呼ばれる。
【００１５】
さらに、ここに説明される種々の側面及び特徴は、標準的なプログラミング及びまたはエンジニアリング技術を用いて、方法、装置、または製品として実装され得る。
【００１６】
ここで用いられる“製品”という用語は、任意のコンピュータ読み取り可能な機器、キャリア、または媒体からアクセス可能なコンピュータプログラムを包含する意図である。例えば、コンピュータ読み取り可能な媒体は、これに限定するものではないが、磁気記憶機器（例えばハードディスク、フロッピー（登録商標）ディスク、磁気ストライプなど）、光ディスク（例えば、コンパクトディスク（ＣＤ）、ＤＶＤなど）、スマートカード、及びフラッシュメモリ機器（例えば、ＥＰＲＯＭ、カード、スティック、キーデバイスなど）を含む。さらに、ここに説明される種々の記憶媒体は、情報を記憶する、１または複数の機器及びまたは他の機械読み取り可能な媒体を表すことがある。“機械読み取り可能な媒体”は、これに限定するものではないが、無線チャネル及び、命令及びまたはデータを記憶し、包含し及びまたは運ぶ、他の種々の媒体を含むことがある。
【００１７】
ここで、図１を参照すると、無線通信システム１００が、ここに提示される種々の実施形態に従って説明される。システム１００は、複数のアンテナグループを含むことがある基地局１０２を含む。例えば、１つのアンテナグループは、アンテナ１０４及び１０６を含み、他のグループはアンテナ１０８及び１１０を含み、さらなるグループはアンテナ１１２及び１１４を含む。各アンテナグループには２つのアンテナが図示されているが、それより多い数のまたはそれより少ない数のアンテナが、アックグループに用いられていてもよい。基地局１０２は、さらに、トランスミッタチェーン及びレシーバチェーンを含み、そのそれぞれは、当業者に理解されるように、信号送信及び受信に関連する複数のコンポーネント（例えば、プロセッサ、変調器、マルチプレクサ、アンテナなど）を順番に含む。
【００１８】
基地局１０２は、モバイル機器１１６及びモバイル機器１２２のような１つまたは複数のモバイル機器と通信することができる。しかし、基地局１０２は、モバイル機器１１６及び１２２と類似の任意の数のモバイル機器と実質的に通信することができることは言うまでもない。モバイル機器１１６及び１２２は、例えば、携帯電話、スマートフォン、ラップトップ、ハンドヘルド通信機器、ハンドヘルドコンピュータ機器、衛星ラジオ、ＧＰＳ（Global Positioning System）、ＰＤＡ、及びまたは無線通信システム１００を介して通信する任意の他の適切な機器であってもよい。図示されているように、モバイル機器１１６は、アンテナ１１２及び１１４と通信し、アンテナ１１２及び１１４は、順方向リンク１１８を通じてモバイル機器１１６へ情報を送信し、逆方向リンク１２０を通じてモバイル機器１１６から情報を受信する。さらに、モバイル機器１１２は、アンテナ１０４及び１０６と通信し、アンテナ１０４及び１０６は、順方向リンク１２４を通じてモバイル機器１２２へ情報を送信し、逆方向リンク１２６を通じてモバイル機器１２２から情報を受信する。周波数分割二重（ＦＤＤ）システムでは、例えば、順方向リンク１１８は、逆方向リンク１２０とは異なる周波数帯を用い、順方向リンク１２４は、逆方向リンク１２６とは異なる周波数帯を適用し得る。また、時分割二重（ＴＤＤ）システムでは、順方向リンク１１８及び逆方向リンク１２０は、共通の周波数帯を用いることができ、順方向リンク１２４及び逆方向リンク１２６は、共通の周波数帯を用いることができる。
【００１９】
アンテナの各グループ、及びまたは、それらが通信するように指定されているエリアは、基地局１０２のセクタとも呼ばれる。例えば、アンテナグループは、基地局１０２によりカバーされる複数のエリアのうちの１つのセクタ内にいるモバイル機器と通信することを指定され得る。順方向リンク１１８及び１２４を通じての通信では、基地局１０２の複数の送信アンテナは、モバイル機器１１６及び１２２に対する順方向リンク１１８及び１２４の信号対雑音比を向上するために、ビームフォーミングを用いることがある。また、基地局１０２は、関連するカバレッジ内にランダムに散らばるモバイル機器１１６及び１２２へ送信するためにビームフォーミングを用い、隣接するセル内のモバイル機器は、基地局が単一のアンテナで全てのモバイル機器へ送信する場合と比較して、より少ない干渉を受ける。
【００２０】
一例によれば、システム１００は、多入力多出力（ＭＩＭＯ：Multiple Input Multiple Output）通信システムであってもよい。さらに、システム１００は、ＦＤＤ、ＴＤＤなどのような、通信チャネルを分割するための任意のタイプの二重化技術を実質的に用いることができる。一例において、モバイル機器１１６及び１２２からの通信は、基地局１０２において受信及び復調される。効果的に復調を保証するために、基地局１０２は、１つまたは複数のアンテナ１０４，１０６，１０８，１１０、１１２及び１１４を通じてモバイル機器１１６及び１２２へ、変調の成功を示す確認応答（ＡＣＫ）信号を送り返すことがある。一例において、モバイル機器１１６及び１２２から送信されたデータは、例えばデータパケットの全てのデータが実質的に基地局１０２により受信されるまで、復調が成功しないように、多重通信で到来することがある。一例によれば、通信チャネルは、チャネルが単一送信より長く維持されるように、基地局１０２からモバイル機器１１６及び１２２へ割り当てられる。その際、チャネルの割当解除は、それに関するモバイル機器やユーザが、もはや当該チャネルに対する権利がないことを示すために要求され得る。この機能のオーバヘッドを最小限にするために、一例において、この情報は、ＡＣＫ信号内にも含まれ得る。
【００２１】
モバイル機器１１６及び１２２は、ＡＣＫ信号を受信することができ、当該ＡＣＫ信号は、確認応答または非確認応答（否定応答）、及び割当解除または非割当解除の可能な組合せを含む、４つの状態の確認応答チャネルを示すことができる。一例によれば、これは、３相シフトキーイング（ＰＳＫ：phase shift keying）状態とオフ状態（例えば、全部で４状態）として実装することができ、これにより、信号変調における変化が上述の組合せのうちの１つであることを示すことができる。このようにして、基地局は、１つのパケットで、通信を確認応答し、チャネルを割当解除できる。しかし、このパケットは、複数の周波数領域にわたって変調されることがあり、周波数選択性フェージングに対し、ロバストとなる。一例において、複数の周波数領域に変調することは、以下に説明するように、データパケットを受信する際に、コヒーレント復調を容易にすることができる。これは、例えば、パイロットチャネルを、復調のための参照として用いることにより可能となる（パイロットチャネルは、一例において、制御セグメント内の複数の順方向リンクチャネル全体で共通である）。さらに、一例において、複数の確認応答は、あるタイル（時間／周波数ブロック）内で直交させることがあり、その結果、隣接のＡＣＫ信号に対する干渉問題に耐性がある。
【００２２】
図２に変わり、ここには、無線通信環境のための通信装置２００が図示されている。通信装置２００は、例えば、基地局、モバイル局、またはこれらの一部分であることがある。通信装置２００は、確認応答または非確認応答、割当解除または非割当解除を示す信号を生成することができる確認信号決定部２０２、複数のタイル（例えば、時間／周波数ブロック）に該信号を変調することができる変調器２０４、及び変調されたタイルを送信するトランスミッタ２０６を含む。一例において、該通信装置は、チャネルを通じて他の通信装置（例えば、モバイル機器、基地局など）からの送信を受信することができ、該送信を復調することを試みる、復調が成功した場合には、確認応答信号決定部２０２は、確認応答パケットを生成し、復調器２０４を用いて、複数のタイルに変調し、当該パケットを当該他の通信装置へ返送する。
【００２３】
一例によれば、通信装置２００は、通信チャネル（例えば、逆方向リンクチャネル）が、必ずしも１回の送信のためにのみ割り当てられるのではない持続チャネル割当構成において動作することができる。この場合において、チャネルは、ある期間の間またはある送信回数の間保留されるため、例えば、割当解除要求及び通知が、当該チャネルの解放を調整するために求められる。チャネル割当解除におけるオーバヘッドを軽減するために、この情報は、実質的に各通信パケットに対し、送信されることがある確認応答信号に伴われることがある。従って、確認応答信号決定部２０２は、一例において、次のような可能な値に対応する、４状態の確認応答信号を生成できる。
【表１】
0005415272.tif 000002
【００２４】
上記テーブルは、単なる一構成であり、実質的に任意の可能な組合せで、確認応答及び割当解除のための可能な値に一致させることができることはいうまでもない。さらに、さらなるフィールドが、当該フィールドについての異なる値を示すさらなる値とともに追加されることがあり、また、当該フィールドについてのさらなる値が追加されることもある（例えば、二進値以外の列挙）。例によれば、確認応答信号決定部２０２は、通信チャネルの割当解除のためのオーバヘッドを減じるために、確認応答及び割当解除値を示す信号を生成することができる。一例において、上記の値は、ＰＳＫ状態に対応することで、複素平面の円上で、１−３の値は、当該円上に、実質的に等しく、しかも互いにできるだけ遠くに配置される（例えば、１２０度離れて配置される）３点に対応することができ、値０は、当該円の中心点に対応することができる。
【００２５】
変調器２０４は、一例において、所望の値を複数の異なる周波数領域またはシンボルに拡散させることができ、例えば、離散フーリエ変換（ＤＦＴ）を用いることで、ダイバーシティのために、周波数選択性フェージングに対し頑強となる。しかし、他の例において、値が単一タイルの単一変調シンボルで送信され得ることは言うまでもない。さらに、通信装置２００は、シンボルを複数のシンボルとともに、多数の他の通信チャネルに対し、互いに直交にクラスタ化することができ、トランスミッタ２０６は、当該複数のシンボルを、送信の間、互いに最上部に多重化することができる。一例によれば、各通信チャネルについてのシンボルは、重み付けされ、当該重みは、当該値が（例えば、以前述べたＤＦＴコードで）互いに直交するように選択され得る。これに関し、チャネル上に他の通信装置の送信からの干渉がある場合、直交シンボルを決定するために値が平均化されるように、多重化は複数のチャネル上の複数のシンボルに対する平均化をもたらす。
【００２６】
ここで図３を参照すると、逆方向リンク確認応答を通信することができる無線通信システム３００が図示されている。無線通信システム３００は、モバイル機器３０４（及びまたは任意の数の異なるモバイル機器（図示せず））と通信する基地局３０２を含む。基地局３０２は、例えば、順方向リンクチャネルを通じて、モバイル機器３０４へ情報を送信することができる。さらに、基地局３０２は、逆方向リンクチャネルを通じて、モバイル機器３０４からの情報を受信し、さらに、該逆方向リンク情報の受信確認のために、順方向リンク確認応答を送る。さらに、無線通信システム３００は、一例において、ＭＩＭＯシステムであることがある。
【００２７】
基地局３０２は、持続逆方向リンク通信チャネルに関する情報を割当及び通信する持続チャネルマネージャ３０６、モバイル機器３０４からの信号を復調する復調器３０８、逆方向リンクトラフィックの復調の成功または失敗を示す、モバイル機器３０４へ送る信号を生成する確認応答信号決定部３１０、モバイル機器３０４へ送る確認応答信号を変調する変調器３１２を含むことができる。モバイル機器３０４は、基地局３０２からの持続逆方向リンク通信チャネルの確立を要求することができる持続チャネル要求部３１４、該通信チャネルを通じて送信するデータを変調する変調器３１６、及び基地局３０２から受信される信号を復調する復調器３１８を含むことができる。
【００２８】
一例において、モバイ機器３０４は、基地局３０２からの持続逆方向リンクチャネルを要求する持続チャネル要求部３１４を用いることができき、これは、例えば、モバイル機器３０４の識別子（例えばＭＡＣＩＤ）、受信されたビーコン信号に関連するデータなどのような実質的なデータを伴うことは言うまでもない。さらに、当該要求は、変調器３１６を用いて変調され得る。持続チャネルマネージャ３０６は、チャネルへのアクセスを許可し、ライフタイム及びチャネルの他の側面を管理する。チャネルが確立されると（または、一例においては確立されている間も）、モバイル機器３０４は、変調器３１６を用いてデータを変調し、それを持続逆方向リンクチャネルを通じて、基地局へ送信することができる。基地局３０２は、データを受信すると、復調器３０８を用いて、該データの復調を試みる。該データの復調が成功すると、確認応答信号決定部３１０は、確認応答通知を、前述したように、モバイル機器３０４へ送信することができる。一例において、確認応答通知は、割当解除決定も含むことがあり、さらに、確認応答通知は、ダイバーシティ及び選択性フェージングのために、変調器３１２を用いて、異なる多くの周波数領域へ変調され得る。さらに、確認応答通知は、他の確認応答通知とともに多重化され、前述したように、干渉対策のための、互いに直交する複数の変調シンボルを与える（例えば、シンボルは干渉があれば平均値を与え、平均値は、シンボルを識別するために用いられる）。さらに、確認応答は、モバイル機器３０４及びまたは基地局３０２の識別子に従って、スクランブルされることは言うまでもない。
【００２９】
確認応答信号は、モバイル機器３０４からの通信に対し、基地局３０２により送信され、復調または復号の成功または失敗を示す。復調または復号の失敗は、一例において、通信の全てがまだ送信されていないときに起きることがあり、さらに、信号の質の悪さ、形式が不正な通信、干渉する通信、互換性なし、復号または変調の失敗などを含む、復調または復号が失敗する他の理由も原因となり得ることは言うまでもない。一例において、Ｈ−ＡＲＱ（hybrid automatic repeat request）送信は、パケットが正しく復号されるか、または送信回数が最大数に達するまで、１つのデータパケットの１または複数の送信を送信するために用いられることがある。従って、既に述べたように、基地局３０２は、パケットが受信され完全に復号されるまで（または送信回数が最大数に達するまで）非確認応答（ＮＡＫ）通知を送ることができる。さらに、既に述べたように、持続チャネルマネージャ３０６は、モバイル機器３０４を持続通信チャネルから解除することを要求することができる。これに関し、確認応答決定部は、選択された値（例えば、以前述べた４状態の確認応答チャネル）によって定める確認応答パケット内に、これを含めることができる。
【００３０】
一例によれば、確認応答信号決定部３１０により、送信すべき確認応答状態が決定されると（例えば、確認応答／割当解除、確認応答／非割当解除、非確認応答／割当解除、非確認応答／非割当解除）、変調器３１２は、確認応答状態を示すシンボルを多くの周波数領域に変調し、周波数選択性フェージングに対する頑強性とともに、チャネル及び干渉に関してダイバーシティを与える。複数の周波数領域は、少なくとも一部を、例えば、確認応答チャネルに対応する逆方向リンクトラフィックリソースに関連する１つまたは複数の時間及び周波数リソースに基づき選択され得る。他の例によれば、周波数領域は、少なくとも一部を、チャネル確立要求に含まれて送信されるようなモバイル機器３０４の識別子（例えば、ＭＡＣＩＤ）に基づき選択され得る。一例において、シンボルは、３つの周波数領域にわたって繰り返される。さらに、モバイル局３０４へ送信される確認応答状態シンボルは、連続クラスタ内に、他の機器への複数のシンボルとともに、互いに直交するように拡散され、これにより、干渉及びチャネルダイバーシティ、個々の変調シンボル上の干渉スパイクに対する耐性、及び近遠効果（near-far effect）耐性を与える。一例によれば、クラスタは、４つの連続するチャネルのボックスである。しかし、実質的に、任意の数のチャネルが、各チャネルが少なくとも１つの他のチャネルに隣接するようにクラスタ化され得ることはいうまでもない。これに関し、クラスタ内の適切なチャネルを検出するために、最小平均二乗誤差（ＭＭＳＥ：minimum mean squared error）や他の平均化アルゴリズムのような検出アルゴリズムが用いられることがある。
【００３１】
１つまたは複数の確認応答送信を受信すると、モバイル機器３０２は、適切なチャネルを検出し、上記したように（例えば、ＭＭＳＥまたは他のアルゴリズムにより）、復調器３１８を用いて復調することができる。その結果得られる１つまたは複数のシンボルは、上記したような４状態（さらに状態を追加して実装することができる）のうちに１つを示すことができる。確認応答が非割当解除とともに受信された場合、モバイル機器３０４は、例えば、他のデータを送ることを続けることができる。確認応答が割当解除とともに受信された場合、モバイル機器３０４は、基地局３０２は送信の受信に成功し、逆方向リンクチャネルがクローズされたものとみなし、この時点で、モバイル機器３０４は、他のまたは同じ基地局３０２（または持続チャネルマネージャ３０６）からのチャネルを要求することができる。非確認応答が非割当解除とともに受信された場合には、モバイル局３０４は、成功確認応答が受信されるまで（またはパケットについての最大送信回数の閾値に達するまで）、関連のあるデータパケット、またはその一部を送信することを続ける。非確認応答が割当解除とともに受信された場合には、逆方向リンクチャネルは割当解除され、モバイル機器３０４は、同じまたは他の基地局３０２（または持続チャネルマネージャ３０６）からのチャネルを要求することができる。チャネル割当解除は、モバイル機器３０４によりなされた以前の割当解除の要求、モバイル機器３０４が圏外に出たこと、より高い優先度の機器にチャネルがとられたこと、などの結果であることもある。
【００３２】
図４を参照すると、基地局及びモバイル機器４００のための通信フレームセットの例が示されている。通信フレームセットは、一例において１つまたは複数のスーパフレームの一部であることがある。フレームセットは、モバイル機器から基地局で受信される通信４０２、４０６、４１０及び４１４のほか、確認応答通知及びまたはチャネル割当解除に基づくモバイル機器への対応する応答４０４、４０８、及び４１２も含むことがある。一例において、モバイル機器から受信される送信４０２、４０６、４１０、４１４は、４０２、４０６、及び４１０が３つのパートからなるデータパケット送信のうちの３つのパートであり、４１１が他のデータパケットの一部であるＨ−ＡＲＱ送信であることがある。この点に関して、確認応答通知４０４及び４０８は、パケットの全部が受信されていないために、非確認応答を示すことがある。そして、確認応答通知４１２は、メッセージの全ての部分が受信、復調及び復号されたために、成功確認応答を示すことがある。さらに、前述したように、チャネル割当解除の表示は確認応答通知とともに送られることもある。
【００３３】
この図において、フレームセットは、ｍから始まりＱずつ離された１つまたは複数のフレームに分割されている。ｍでは、説明されたように、データパケット１のブロック１ ４０２が受信され得る。基地局は、復調及び復号を試み、他に受信すべきブロックがあるためにエラーを生じる。従って、ｍ＋ｑ（ここで、ｑはＡＣＫ／ＮＡＫ遅延であり、１≦ｑ＜Ｑ）において、ＮＡＫ４０４が端末へ送信され得る。ＮＡＫを受信すると、端末は、ｍ＋Ｑにおいて、データパケット１のブロック２ ４０６を送信し、基地局がそれを受信する。再び、復調及び復号によりエラーが生じ得、これにより、ｍ＋Ｑ＋ｑに、基地局にＮＡＫ４０８を送信されることとなる。これは、機器に、ｍ＋２Ｑにおいて、データパケット１のブロック３ ４１０を基地局へ送信させ得る。このブロックを受信すると、この例では、データパケットの復号は全て成功するため、基地局に、ｍ＋２Ｑ＋ｑにおいてＡＣＫ４１２を送信させ、これにより、機器に、データパケット１の送信を終了させる。基地局が、この時点でチャネルを割当解除しないと想定すると、機器は、ｍ＋３Ｑにおいて、新たなパケットのブロック４１４を送信することを開始できる。他の例によれば、ＡＣＫ４１２がないことはＮＡＫと解釈され得る。
【００３４】
この例において、データブロックは、Ｑフレーム単位で送信されるが、チャネルの利用を向上するために、インタレース方式で、Ｑパケットまでを送信することができることはいうまでもない。例えば、第１インタレースは、ｍ、ｍ＋Ｑなどのフレームで構成され、第２インタレースは、ｍ＋１、ｍ＋Ｑ＋１などのフレームで構成され、第Ｑインタレースは、ｍ＋Ｑ−１、ｍ＋２Ｑ−１などのフレームで構成され得る。Ｑ回のインタレースは、１フレームでオフセットされるので、モバイル機器は、Ｑ個までのパケットをＱ回のインタレースで送信することができる。一般に、Ｈ−ＡＲＱ送信遅延Ｑ、及びＡＣＫ／ＮＡＫ遅延ｑは、一例において、基地局及びモバイル機器に充分な処理時間を与えるために選択される。
【００３５】
図５を参照すると、１組の複数の確認応答チャネル配置の例が示されている。時間／周波数ブロックまたはタイル５０２、５０４、５０６、５１４、及び５１６が、パイロットシンボル５２２及び確認応答シンボルクラスタ配置５０８、５１０、５１２、５１８、及び５２０を含むように示されている。ブロック５０２、５０４、及び５０６は、ここに説明されたように、確認応答シンボルの拡散及び周波数割当のための第１構成を表す。特に、ブロック５０２、５０４、及び５０６は、３つの周波数領域に配置された、相互に直交する４つの確認応答シンボルからなる連続クラスタ５０８、５１０、５１２を示す。説明されたように、複数のシンボルは、それらが連続するように、互いに直交する構成の複数のクラスタに拡散され得る。これに関して、各シンボルは、少なくとも１つの他のシンボルと隣接する。また、複数の変調シンボルは、それぞれ、上記したように、逆方向リンク確認応答チャネルを確立させた異なる複数の機器に関連する。互いに隣接する複数のシンボルを多重化することは、（例えば、他のデバイスからの）干渉が個々の変調シンボル上で強い場合においても確認応答シンボルの識別を可能することができる。他の構成において、タイル５１４及び５１６に表されているように、４つ以上の連続する確認応答シンボルがタイル全体に拡散され得る。シンボルクラスタ５１８及び５２０は８シンボルからなる構成を示す。さらに、該構成は、示されているように、複数のタイルでブロードキャストされるように、ある与えられたシンボルについて変更可能である。シンボルが連続であるような構成は、ほとんど無限に可能であることは言うまでもない。さらに、複数の周波数領域で複数のシンボルを送信することに、実質的に無限の可能性がある。多重化されたチャネルの直交性が、時間及びまたは周波数チャネル変動により歪められ得るので、複数のシンボルを連続的に拡散することは、説明したように、通信の信頼性を向上する。その結果、拡散は、時間及びまたは周波数の連続性を与え、チャネル上の時間及びまたは周波数選択の効果を低減する。一例によれば、連続的な配置は、チャネル特性、予想されるチャネル特性、事前設定、推定などの要因となり得る。
【００３６】
一例によれば、拡散は、複数の確認応答シンボルのｎ×１ベクトルを生成することにより実装することができる。送信された変調シンボルｘの３ｎ×１ベクトルは、等式ｘ＝Ｓａで与えられる。ここでｘは送信ベクトル、Ｓは拡散行列、ａは確認応答である。一例において、Ｓは
【数１】
0005415272.tif 000003
【００３７】
と与えられ得る。さらに、Ｓは、
【数２】
0005415272.tif 000004
【００３８】
と定義され得る。この側面において、タイルｉで送信されるｘ変調シンボルのｎ×１ベクトルは、
【数３】
0005415272.tif 000005
【００３９】
と与えられる。他の例によれば、確認応答ａの数は、拡散行列Ｓのサイズよりも小さいことがあり、１つまたは複数の使用されない拡散シンボルを残す。これに関し、使用されない拡散コードは、１つまたは複数のクラスタシンボルの位置を推定するために、使用されないシンボルを用いることにより、１つのクラスタ内の干渉の推定を可能にすることができる。従って、必要なシンボル検出閾値、及びまたは必要な信号対雑音比（ＳＮＲ）は、効率良く低減され得る。
【００４０】
説明したように、変調されたタイル５０２、５０４、５０６は、相互に直交する連続したシンボルが当該クラスタ全体の平均を与えることができるために、一例において、単一の変調シンボルについての干渉バースト耐性がある。従って、機器は、当該シンボルを解釈するために、（既に述べたように、ＭＭＳＥのような）平均化アルゴリズムを用いることができる。さらに、示されたように、複数の周波数レンジで送信される複数のシンボルは、周波数選択性フェージングに対し効果がある。
【００４１】
一例によれば、シンボルを複数の周波数に変調するシーケンスは、モバイル機器に関連する１つまたは複数の識別子（例えばＭＡＣＩＤ）に基づき選択され得る。従って、シーケンスは、異なる複数の機器に対しそれぞれ異なることがある。この結果、異なるシーケンスは、少なくとも一部をチャネル割当解除の誤りに起因して起こり得る、失敗確認応答誤りを避けることに役立ち得る。例えば、チャネルが１つの機器から割当解除され、他の機器に割当されたが、第１の機器が割当解除に失敗した場合、第１の機器は、その後も逆方向リンクデータを送信する。同じ変調シーケンスを用いる場合、基地局は、確認応答をモバイル機器へ送信するが、第１の機器は、チャネル割当解除に失敗しているため、正確に当該確認応答を解釈することはできない。これは、ここに説明したように、確認応答がチャネルベースであり、必ずしも機器ベースでないためである。従って、チャネル割当が、チャネル木の複数のベースノードを含むとき、確認応答は、その時点で、１つまたは複数のベースノードまたはチャネルに割り当てられた機器に関わらす、（例えば、割当内の最下位のベースノードに関連する）対応する複数のリソースのうちの１つで送信される。しかし、機器識別子に対応する複数の変調シーケンス（または識別子に従ってスクランブルされた変調シーケンス）を用いることは、受信機器が、基地局により選択されたシーケンスにより、確認応答がそれ自身であることを知るか、または検証できるので、この動作を軽減することができる。
【００４２】
図６−７を参照すると、逆方向リンク確認応答チャネルを定義し提供することに関する手順が図示されている。説明の簡単のために、手順は、一連の複数の動作として示され、説明されているが、手順は、この動作の順序に限られるものではなく、いくつかの動作が、１つまたは複数の実施形態に従って、ここに示されて説明されているものとは異なる順序で、及びまたは、他の動作と同時に起こり得ることは言うまでもない。例えば、当業者には、これに代えて、手順は、状態図のように、一連の相互に関連する複数の状態またはイベントとして表されることは理解できよう。さらに、図示された全ての動作が、１つまたは複数の実施形態に従った手順を実装するために、必ずしも必要であるわけではない。
【００４３】
図６を参照すると、チャネルで、チャネル割当解除インジケータとともに、逆方向リンク確認応答を送信することを容易にする手順６００が図示されている。６０２では、逆方句リンクを通じて通信が受信される。一例において、これは、データパケットまたは（例えばデータブロックで送られる）データパケットの一部であることがある。通信は、時間上の多くのシンボルとして復調され得る。６０４では、通信が復調され、復号するためのデータパケットが得られる。通信が部分的なデータパケットを含む場合、復調は成功せず、例えば、この場合、非確認応答シンボルが当該機器へ送信され得る。あるいは、データパケットは、そのまま復調され、全部揃ったデータパケットまたは既に受信された部分に全部を揃える部分であることがある。この場合、において、確認応答シンボルが当該機器へ送信され得る。さらに、通信が到来する逆方向リンク通信チャネルを割当解除するか否かに関し決定がなされ得る。そして、６０６では、当該機器へ送信するために、適切な確認応答パケットが決定され得、このパケットは、復調の成功または失敗と、チャネル割当解除またはチャネル非割当解除と、を示す表示を含む。
【００４４】
６０８では、確認応答シンボルが、他の複数の確認応答シンボルを含む連続クラスタに拡散され得る。複数のシンボルは、任意のシンボルの識別が可能なように、（例えば、ＭＭＳＥまたは他の平均化アルゴリズムを用いることにより）互いに直交する。この点に関して、クラスタで複数のシンボルを送信することは、通信に、任意のシンボルにおける干渉に対する耐性を与えることができ、また、チャネルまたは干渉ダイバーシティを与えることや、近遠効果耐性などを与えることができる。さらに、６１０では、複数のシンボルが複数の周波数レンジに多重化され、周波数選択性フェージングに対し、さらなるダイバーシティ及び頑強性を与える。６１２では、該複数のシンボルは複数の周波数レンジで、しかも、それぞれが相互に直交する連続クラスタで送信される。
【００４５】
図７を参照すると、確認応答通知の受信及び処理を容易にする手順が示される。７０２では、１つのデータブロックの送信ブロックが、例えば、アクセスポイントのような機器へ、逆方向リンクチャネルで送信される。７０４では、確認応答信号が、該データパケットに関して受信及び復調され、該信号内の含まれる情報を識別する。ここに説明されるように、確認応答信号は、確認応答または非確認応答と、チャネル割当解除または非割当解除とを含むことがある。７０６では、チャネル割当解除について、値がチャックされる。説明したように、逆方向リンクチャネルは持続的であり、マネージャは、例えば、異なる複数の機器に割り当てられた複数のチャネルの割り当てや管理するために用いられ得る。従って、チャネル割当解除の表示が必要となり得る（また、そのような割当解除の要求の結果として、以前述べたように、範囲から出るなどができる）。
【００４６】
チャネルが割当解除された場合、７０８おいて、通信を続けるために、（同じまたは異なるアクセスポイントに対し）他のチャネルへの接続要求がなされることがある。チャネルが割当解除されない場合、７１０において、確認応答の表示を得るために、値がチェックされる。確認応答が受信された場合、逆方向リンクでの通信の復調が成功したことを示し、例えば、７１２では、次のパケットの送信を開始し得る。しかし、否定の確認応答が受信された場合（または何も受信されない場合）、７１４において、該パケットの次のブロックが（存在すれば）送信され得る。これが、例えば、最後のブロックである場合には、一例において、該パケットが再度送信され得る。これに関し、確認応答は、送信得ロックまたは複数のブロックの集まりの復号の成功または失敗を示すだけでなく、同じシンボル内で、前述したような周波数及び干渉ダイバーシティとともに、チャネル割当解除もまた示され得る。
【００４７】
ここで説明される１つまたは複数の側面によれば、複数の周波数領域でシンボルをマルチキャストすることと同様、互いに直交するクラスタ内の複数のシンボルのうちの１つのシンボルの変調方式に関して推定することができる。ここで用いられるように、“推定する（infer）”あるいは“推定（inference）”という用語は、一般に、イベント及びまたはデータを介して取得される観測結果の集合から、システムの状態、環境、及びまたはユーザを推定するプロセスのことをいう。推定は、ある特定のコンテクストまたは動作を特定するために用いられ、あるいは、例えば、複数の状態の確率分布を生成することができる。推定は、確率的であり、すなわち、データ及びイベントの考慮に基づく、興味ある複数の状態についての確率分布の計算である。推定は、イベント及びまたはデータの集合から、より高いレベルのイベントを作成するために用いられる技術をいうことがある。そのような推定は、観測された複数のイベント及びまたは記憶された複数のイベントデータの集合、該複数のイベントが時間的に非常に近く相関するかどうか、及び該複数のイベント及びデータが１または複数のイベント及びデータソースから発生するかどうか、から、新たなイベントあるいはアクションを作成する。
【００４８】
一例によれば、上記に示した１つまたは複数の方法は、確認応答通知を送信するためのチャネル及びまたは周波数を選択することに関連する推定を行うことを含むことがある。さらに説明すると、推定は、一部を、確認応答を送信するための周波数またはチャネルの前回の推定、チャネルまたは周波数干渉の既知のエリアなどに基づき行われる。前述の例は、実際の説明のためであり、ここに説明される種々の実施形態及びまたは方法で行われ得る推定の数や、その推定方法に限定するものではないことは言うまでもない。
【００４９】
図８は、例えば、ＭＩＭＯシステムにおいて、確認応答通知を受信及び解釈することが容易に行えるモバイル機器８００の図である。モバイル機器８００は、例えば受信アンテナ（図示せず）からの信号を受信し、これに対し、一般的な処理（例えばフィルタリング、増幅、ダウンコンバートなど）を行い、当該調整された信号をデジタル化してサンプルを得るレシーバ８０２を含む。レシーバ８０２は、例えば、ＭＭＳＥレシーバであり、以前説明したような、相互に直交するシンボルのクラスタに関する情報を受信することができる。さらに、モバイル機器８００は、例えば、確認応答通知のような、受信された情報を復調し、それを確認応答レシーバ８０８及びまたはプロセッサ８１０へ転送することができる復調器８０４を含むことがある。また、例えば、基地局やアクセスポイントのような他の機器からの逆方向リンク通信チャネルの確立を要求するために、チャネル要求部８０６が備えられる。プロセッサ８１０は、レシーバ８０２により受信された信号を分析すること、及びまたは、トランスミッタ８１６による送信のための情報を生成することに専用のプロセッサ、モバイル機器８００の１つまたは複数のコンポーネントを制御するプロセッサ、及びまたは、レシーバ８０２により受信された情報を分析し、トランスミッタ８１６による送信のための情報を生成し、モバイル機器８００の１つまたは複数のコンポーネントを制御するプロセッサであることがある。
【００５０】
モバイル機器８００は、さらに、プロセッサ８１０に動作可能なように接続され、送信すべきデータ、受信されたデータ、利用可能なチャネルに関する情報、分析された信号及びまたは干渉強度、割り当てられたチャネルに関する情報、電力、レートなど、チャネル推定及びチャネルを介しての通信に適した他の情報を記憶することができるメモリ８１２を含むことがある。メモリ８１２は、さらに、チャネルの推定及びまたは利用（パフォーマンスベース、キャパシティベースなど）に関連するプロトコル及びまたはアルゴリズムを記憶することができる。さらに、メモリ８１２は、例えば、復調、確認応答シンボルの解釈、そのすぐ後のチャネル割当解除に関連する情報を記憶することができる。
【００５１】
ここに説明されているデータ記憶（例えばメモリ８１２）は、揮発性メモリか不揮発性メモリのいずれかでもよいし、揮発性及び不揮発性メモリの両方を含むものであってもよいことは言うまでもない。説明のために、これに限定するものではないが、不揮発性メモリは、ＲＯＭ（read only memory）、プログラマブルＲＯＭ（ＰＲＯＭ）、電気的にプログラム可能なＲＯＭ（ＥＰＲＯＭ）、電気的に消去可能なＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。説明のために、しかし、これに限定するものではないが、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ ＳＤＲＡＭ）、拡張（enhanced）ＳＤＲＡＭ（ＥＳＤＲＡＭ）、ＳＬＤＲＡＭ（Synchlink DRAM）、ＤＲＲＡＭ（direct Rambus RAM）のような多くの形で利用可能である。対象システム及び方法のメモリ８１２は、これに限定することなく、これらのメモリや、他の適切なタイプのメモリを含むことを意図している。
【００５２】
一例によれば、チャネル要求部８０６は、逆方向リンク通信チャネルに対する要求を作成し、該要求を、例えば、トランスミッタ８１６を用いることにより、１つまたは複数の基地局またはアクセスポイントへ送信することができる。チャネルが確立されると、モバイル機器８００は、逆方向リンクチャネルを通じて情報を送信することができ（例えば、該情報を変調する変調器８１４、該情報を送信するトランスミッタ８１６を用いることにより）、また、レシーバ８０２を介して確認応答表示を受信することができる（該確認応答表示は、復調器８０４により復調され得る）。確認応答表示は、一例において、モバイル機器８００のその後の動作を制御することができ、確認応答レシーバ８０８は、該確認応答表示を受信し、データを解釈することができる。確認応答表示は、既に述べたように、確認応答のブール表示及びチャネル割当解除のブール表示を含むことがある。他の値及びまたは可能な値の数は、ほぼ無制限であるといえることがいうまでもないが、説明の簡単のために、値には２つの例があるものとする。
【００５３】
確認応答表示がチャネル割当解除を指定する場合、チャネル要求部８０６は、同じまたは異なるアクセスポイントから新たなチャネルを要求することができる。プロセッサ８１０が、チャネル要求部８０６に、例えば、確認応答レシーバ８０６からチャネル割当解除通知を受信することにより、この作業を実行させることはいうまでもない。さらに、一例において、確認応答レシーバ８０８は、確認応答決定を解釈し、それをプロセッサ８１０へ送ることができ、そして、プロセッサ８１０は、後続のデータパケットの変調及び送信を開始することができる。該表示が非確認応答を示す場合、データパケットとする次のブロックのデータは、変調器８１４により変調され、トランスミッタ８１６により送信され得る。任意のパケットとする次のブロックのデータが存在しない場合、該パケットは再送されるか、あるいは、例えば、他の誤り訂正／報告ルーチンが実行されることがある。
【００５４】
図９は、例えば、ＭＩＭＯ環境において、順方向リンク確認応答チャネルの確立及び該チャネルを通じて通信することを容易にするシステム９００の図である。システム９００は、複数の受信アンテナ９０６を通じて、１つまたは複数のモバイル機器９０４からの（１つまたは複数の）信号を受信するレシーバ９１０と、送信アンテナ９０８を通じて、１つまたは複数のモバイル機器９０４へ送信するトランスミッタ９２４とをもつ、基地局９０２（例えば、アクセスポイント、…）を含む。レシーバ９１０は、受信アンテナ９０６から情報を受信することができ、受信された情報を復調する復調器９１２に動作可能に接続されている。復調されたシンボルは、図７に関して上記に説明されたプロセッサと同様のプロセッサ９１４により分析され得、該プロセッサ９１４は、信号（例えばパイロット）強度及びまたは干渉強度の推定に関する情報、送信すべきデータ、１つまたは複数のモバイル機器９０４（または異なる基地局（図示せず））から受信されたデータ、及びまたは、ここに説明された種々の動作及び機能セットの実行に関連する他の適切な情報を記憶するメモリ９１６に接続される。プロセッサ９１４は、さらに、１つまたは複数のモバイル機器９０４からの逆方向リンク通信チャネルの確立の要求を受信することができる持続チャネルマネージャ９１８に接続される。プロセッサ９１４は、また、少なくとも一部を、復調器９１２の成功と、逆方向リンクチャネルに対する所望のステータスとに基づき、確認応答信号を生成することができる確認応答信号決定部９２０に接続される。
【００５５】
一例によれば、持続チャネルマネージャ９１８は、１つまたは複数のモバイル機器９０４についての通信チャネルを管理することができる。説明したように、チャネルは、例えば、1データブロックまたは関連するデータパケットよりも長い寿命をもつように持続し得る。チャネルが確立されると、１つまたは複数のモバイル機器９０４は、レシーバ９１０を介して基地局９０２へデータを送信することができる。復調器９１２は、該データを復調することを試み、成功であれば、確認応答信号決定部９２０が、その旨を示すための確認応答信号を生成することができる。成功でない場合には、同様の信号が失敗を示すために生成され得る。さらに、確認応答信号決定部９２０は、持続チャネルマネージャ９１８に、該１つまたは複数のモバイル機器９０４に関連する持続チャネルを割当解除すべきか否かを決定させることができる。これは、上述したように、該モバイル機器９０４からそのように要求された場合、該モバイル機器９０４はレンジの外へ出るか、信号電力が小さい場合、他のより高い優先度の機器がサービスエリア内に入ってきた場合などに起こることがある。
【００５６】
確認応答及び割当解除情報が決定されると、１つまたは複数のモバイル機器９０４へ送り返して、該情報を示すための値が選択され得る。例えば、選択された値は、以前説明したように、４状態の確認応答ＰＳＫに関連し得る。さらに、選択された値は、１または複数のシンボルとして、他のチャネルについての他の複数の確認応答シンボルとともに、シンボルが、連続クラスタ（例えば、既に説明された４つからなる１つのクラスタのように）内に、互いに直交するように割り当てられるように、変調器９２２により（例えば、複数の周波数領域に）変調され得る。複数のシンボルを連続するチャネルに割り当てること、それらを複数の周波数領域に多重化することは、上述したように、シンボルにダイバーシティを与えて、干渉バーストから保護するとともに、周波数選択性フェージングに対しより強い耐性を与える。
【００５７】
図１０は、無線通信システム１０００の例を示す。無線通信システム１０００は、簡単のために、１つの基地局１０１０と１つのモバイル機器１０５０とが描かれている。しかし、システム１０００は、１つより多い数の基地局及びまたは1つより多い数のモバイル機器が含まれることがあり、追加の基地局及びまたはモバイル機器が、以下に説明される基地局１０１０及びモバイル機器１０５０の例と、実質的に同じかまたは異なることがあることは言うまでもない。さらに、基地局１０１０及びまたはモバイル機器１０５０は、ここに説明されたシステム（図１-３及び８-９）、技術／構成（図４-５）、及びまたは方法（図６-７）を適用し、それらの間で無線通信を容易にする。
【００５８】
基地局１０１０では、多くの数のデータストリームに対するトラフィックデータが、データソース１０１２から送信（ＴＸ）データプロセッサ１０１４へ与えられる。一例によれば、各データストリームは、それぞれのアンテナから送信され得る。ＴＸデータプロセッサ１０１４は、トラフィックデータストリームを、当該データストリームに対し選択された特定の符号化スキームに基づき、フォーマット、符号化、インターリービングし、符号化データを与える。
【００５９】
各データストリームについての符号化データは、ＯＦＤＭ（Orthogonal Frequency Division Multiplexing）技術を用いて、パイロットデータと多重化され得る。さらに、またはこれに代わり、パイロットシンボルは、周波数分割多重化（ＦＤＭ）、時分割多重化（ＴＤＭ）、または符号分割多重化（ＣＤＭ）され得る。パイロットデータは、通常、既知の方法で処理され、モバイル機器１０５０でチャネル応答を推定するために用いられ得る既知のデータパターンである。各データストリームについての多重化されたパイロット及び符号化データは、該データストリームに対し選択された特定の変調スキーム（例えば、ＢＰＳＫ（binary phase-shift keying）、ＱＰＳＫ（quadrature phase-shift keying）、Ｍ−ＰＳＫ（M-phase-shift keying）、Ｍ−ＱＡＭ（M-quadrature amplitude modulation）など）に基づき変調されて、変調シンボルを与える。各データストリームについてのデータレート、符号化、及び変調は、プロセッサ１０３０により実行されるか与えられる命令により決定され得る。
【００６０】
データストリームについての変調シンボルは、ＴＸ ＭＩＭＯプロセッサ１０２０へ与えられ、ここで、（例えばＯＦＤＭのために）該変調シンボルがさらに処理される。ＴＸ ＭＩＭＯプロセッサ１０２０は、そして、ＮT個の変調シンボルストリームを、ＮT個のトランスミッタ（ＴＭＴＲ）１０２２ａから１０２２ｔへ与える。種々の実施形態において、ＴＸ ＭＩＭＯプロセッサ１０２０は、データストリームのシンボルと、シンボルが送信されるアンテナに、ビームフォーミング重みを適用する。
【００６１】
各トランスミッタ１０２２は、それぞれのシンボルストリームを受信及び処理し、１つまたは複数のアナログ信号を与え、さらに、該アナログ信号を調整し（例えば、増幅、フィルタリング、及びアップコンバート）、ＭＩＭＯチャネルを通じての送信に適した変調信号を与える。さらに、トランスミッタ１０２２ａ〜１０２２ｔからのＮT個の変調信号は、ＮT個のアンテナ１０２４ａ〜１０２４ｔから送信される。
【００６２】
モバイル機器１０５０では、送信された変調信号が、ＮR個のアンテナ１０５２ａ〜１０５２ｒにより受信され、各アンテナ１０５２から受信された信号は、それぞれのレシーバ（ＲＣＶＲ）１０５４ａ〜１０５４ｒへ与えられる。各レシーバ１０５４は、それぞれの信号を調整し（例えば、フィルタリング、増幅、及びダウンコンバート）、調整された信号をデジタル化して、複数のサンプルを得、さらに、該サンプルを処理して、対応する“受信された”シンボルストリームを与える。
【００６３】
ＲＸデータプロセッサ１０６０は、ＮR個のレシーバ１０５４からのＮR個の受信シンボルストリームを、特定のレシーバ処理技術に基づき受信及び処理して、ＮT個の“検出された”シンボルストリームを与える。ＲＸデータプロセッサ１０６０は、検出された各シンボルストリームを復調、デインターリービング、及び復号することができ、該データストリームについてのトラフィックデータを再生する。ＲＸデータプロセッサ１０６０による処理は、基地局１０１０におけるＴＸ ＭＩＭＯプロセッサ１０２０及びＴＸデータプロセッサ１０１４により実行される処理と相補性がある。
【００６４】
プロセッサ１０７０は、周期的に、どのプレコーディング行列を使用するかを上述したように決定することができる。さらに、プロセッサ１０７０は、行列インデックス部分及びランク値部分を含む逆方向リンクメッセージを生成することができる。
【００６５】
逆方向リンクメッセージは、通信リンク及びまたは受信データストリームに関する種々のタイプの情報を含むことができる。逆方向リンクメッセージは、データソース１０３６から多くの数のデータストリームについてのトラフィックデータも受信できるＴＸデータプロセッサ１０３８により処理されて、変調器１０８０で変調され、トランスミッタ１０５４ａ〜１０５４ｒにより調整され、基地局１０１０へ送り返され得る。
【００６６】
基地局１０１０では、モバイル機器１０５０からの変調信号が、アンテナ１０２４で受信され、復調器１０４０で復調され、ＲＸデータプロセッサ１０４２により処理されて、モバイル機器１０５０により送信された逆方向リンクメッセージを抽出する。さらに、プロセッサ１０３０は、抽出されたメッセージを処理して、ビームフォーミング重みを決定するためにどのプレコーディング行列が使用されたかを決定することができる。
【００６７】
プロセッサ１０３０及び１０７０は、基地局１０１０及びモバイル機器１０５０において、それぞれ動作を指示する（例えば、制御、調整、管理など）。プロセッサ１０３０及び１０７０のそれぞれは、プログラムコード及びデータを記憶するメモリ１０３２及び１０７２に接続され得る。プロセッサ１０３０及び１０７０は、それぞれ、上りリンク及び下りリンクについて周波数及びインパルス応答推定を導出するため計算も実行することができる。
【００６８】
ここに説明された実施形態は、ハードウェア、ソフトウェア、ファームウェア、ミドルウェア、マイクロコード、あるいはこれらの任意の組合せにより実装することができることは言うまでもない。ハードウェアで実装する場合、複数の処理ユニットは、特定用途向け集積回路（ＡＳＩＣ）、デジタル信号プロセッサ（ＤＳＰ）、デジタル信号処理デバイス（ＤＳＰＤ）、ＰＬＤ（programmable logic device）、ＦＰＧＡ（field programmable gate array）、プロセッサ、コントローラ、マイクロコントローラ、マイクロプロセッサ、ここに説明された機能を実行するために設計された他の電子ユニット、あるいは、これらの任意の組合せのうちの１または複数を用いて実装することができる。
【００６９】
実施形態がソフトウェア、ファームウェア、ミドルウェアまたはマイクロコード、プログラムコードまたはコードセグメントで実装される場合、それらは記憶コンポーネントのような機械読み取り可能な媒体に記憶することができる。コードセグメントは、プロシジャ、関数、サブプログラム、プログラム、ルーチン、サブルーチン、モジュール、ソフトウェアパッケージ、クラス、あるいは命令、データ構造、プログラムステートメントの任意の組合せを表す。コードセグメントは、情報、データ、引数、パラメータ、またはメモリコンテンツを渡したり、受信したりすることにより、他のコードセグメントまたはハードウェア回路に連結されている。情報、引数、パラメータ、データなどは、メモリシェアリング、メッセージパッシング、トークンパッシング、ネットワーク送信などを含む任意の適切な手段を用いて、渡され、転送され、送信される。
【００７０】
ソフトウェア実装の場合、ここに説明される技術は、ここに説明される機能を実行するモジュール（例えばプロシジャ、関数など）で実装することができる。ソフトウェアコードは、メモリユニットに記憶され、プロセッサにより実行される。メモリユニットは、プロセッサ内、または、当該技術において既知の種々の手段を通じてプロセッサと通信可能に接続されている場合には、プロセッサの外部に実装することができる。
【００７１】
図１１を参照すると、持続逆方向リンクチャネルを通じて確認応答信号を送信するシステム１１００が図示されている。例えば、システム１１００は、少なくとも一部は、基地局内部に存在し得る。システム１１００は、複数の機能ブロックを含むように表され、この複数のブロックは、プロセッサ、ソフトウェア、またはこれらの組合せ（例えばファームウェア）により実装される機能を表す。システム１１００は、協働で動作する複数の電気コンポーネントの論理グループ１２０２を含む。例えば、論理グループ１１０２は、モバイル機器１１０４に対する持続逆方向リンクチャネルを管理する電気コンポーネントを含むことができる。例えば、説明されたように、モバイル機器は、アクセスポイントまたは基地局と情報を通信するための持続逆方向リンクチャネルへのアクセスを要求することができる。持続チャネルは、例えば、ただ１つのデータパケットまたはデータブロックの送信よりも長く持続することができる。さらに、論理グループ１１０２は、持続逆方向リンクチャネル１１０６を通じて通信を受信する電気コンポーネントを含むことができる。例えば、逆方向リンクチャネルが確立されると、モバイル機器は通信を変調し、該チャネルを通じて送信することができる。さらに、論理グループ１１０２は、モバイル機器へ、該通信の復調に関する確認応答表示とチャネル割当解除表示を含む確認応答信号を送信する電気コンポーネント１１０８を含むことができる。以前述べたように、通信の復調が成功することもあれば、（例えば、通信がデータパケットの不完全な部分である場合）成功しないこともある。従って、確認応答表示は、復調の試みに関連し得る。さらに、システム１１００は、機器からの要求、レンジから外へ出る機器などのような、上述したような種々の理由のために逆方向リンクチャネルの割当解除を要求することができる。従って、確認応答信号は、持続チャネル管理のオーバヘッドを節約するために、この情報を含むことがある。さらに、システム１１００は、電気コンポーネント１１０４、１１０６及び１１０８に関連する機能を実行するための命令を保持するメモリ１１１０を含むことができる。メモリ１１１０の外部にあるように示されているが、電気コンポーネント１１０４、１１０６及び１１０８の１つまたは複数がメモリ１１１０内に存在していてもよいことは言うまでもない。
【００７２】
図１２に変わり、複数の連続する確認応答信号の受信を容易にするシステム１２００が示されている。システム１２００は、例えば、少なくとも一部は、モバイル機器内に存在し得る。図示されているように、システム１２００は、プロセッサ、ソフトウェア、またはこれらの組合せ（例えばファームウェア）により実装される機能を表すことができる複数の機能ブロックを含む。システム１２００は、逆方向リンク送信の制御を容易にする複数の電気コンポーネントの論理グループ１２０２を含む。論理グループ１２０２は、データブロック１２０４を送信する電気コンポーネントを含むことができる。説明したように、これは、データパケットの全体か、またはその一部分である。一部分である場合には、１つまたは複数の残りの部分は、例えば、後続の通信フレームで送信されることができる。さらに、論理グループ１２０２は、連続クラスタ内の複数の相互に直交する確認信号を受信する電気コンポーネント１２０６を含むことができる。前述したように、信号をクラスタにグルーピングすることは、例えば、１つのクラスタ内の個々のチャネルについての干渉耐性を含む、多くの利点を与えることができる。さらに、論理グループ１２０２は、複数の確認応答信号のうちのどれが送信されたデータブロックに関連するかを決定する電気コンポーネント１２０８を含むことができる。これは、前述したＭＭＳＥのような平均化アルゴリズムにより行うことができる。さらに、システム１２００は、電気コンポーネント１２０４、１２０６、及び１２０８に関連する機能を実行するための命令を保持するメモリ１２１０を含むことができる。メモリ１２１０の外部にあるように示されているが、電気コンポーネント１２０４、１２０６及び１２０８がメモリ１２１０内に存在していてもよいことは言うまでもない。
【００７３】
以上説明してきたものは、１又は複数の実施形態の例を含む。もちろん、前述した実施形態を説明する目的で、コンポーネントや手順のあり得る全ての組合せを説明することは不可能であるが、当業者は、種々の実施形態の多くのさらなる組合せ及び置き換えが可能であることは理解できよう。従って、説明された実施形態は、添付のクレームの趣旨及び範囲内にある、そのような全ての種々の変形を包含することを意図するものである。さらに、“含む（includes）”という用語は、詳細な説明やクレームで用いられる範囲で、 “具備する（comprising）”という用語がクレーム中で移行語として用いられるときに“具備する”が解釈されるのと同様に包括的であることを意図する。
以下に、本願出願の当初の特許請求の範囲に記載された発明を付記する。
［１］  順方向リンク確認応答チャネルの確立を容易にする方法であって、
確立された逆方向リンクからの通信の復調のステータスを決定すること；
前記確立された逆方向リンクに関連するチャネル割当解除値を決定すること；及び
一部を前記ステータス及び前記チャネル割当解除値に基づき選択された確認応答シンボルを変調すること；
を含む方法。
［２］  前記確認応答シンボルは、確認応答／非確認応答とチャネル割当解除／非割当解除との全ての組合せに実質的に対応する、３つの状態をもつ３相シフトキーイング（ＰＳＫ）及びオフ状態とに対応する［１］記載の方法。
［３］  ダイバーシティの促進のために、前記確認応答シンボルを複数の周波数領域に多重化することをさらに含む［１］記載の方法。
［４］  前記多重化は、少なくとも一部を、対応するモバイル機器の識別子に基づく［３］記載の方法。
［５］  前記確認応答シンボルを、１つのタイル内の異なる複数のチャネルについての複数の確認応答シンボルを含む確認応答クラスタ中に拡散することをさらに含む［１］記載の方法。
［６］  少なくとも一部を、少なくとも１つまたは複数の対応するモバイル機器の識別子に基づき、前記確認応答シンボルをスクランブルすることをさらに含む［５］記載の方法。
［７］  前記確認応答クラスタ内の前記複数の確認応答シンボルは、連続する配置内で、互いに直交する［５］記載の方法。
［８］  前記複数の確認応答シンボルは、各確認応答シンボルが少なくとも１つの他の確認応答信号と隣接するように、時間及び周波数に基づき連続する［７］記載の方法。
［９］  前記チャネル割当解除値に基づき、前記逆方向リンクを割当解除することをさらに含む［１］記載の方法。
［１０］  モバイル機器からの通信を受信することと、前記モバイル機器へ確認応答シンボルを送信することとをさらに含む［１］記載の方法。
［１１］  逆方向リンク通信に関連する確認応答信号を、複数のタイル内の複数の連続クラスタ中に拡散する少なくとも１つのプロセッサ；及び
前記少なくとも１つのプロセッサに接続されたメモリ；
を含む無線通信装置。
［１２］  前記確認応答信号を拡散することは、さらに、前記逆方向リンクに対応するモバイル機器の識別子に関連する［１１］記載の無線通信装置。
［１３］  前記確認応答信号を拡散することは、さらに、前記無線通信装置の識別子に関連する［１２］記載の無線通信装置。
［１４］  前記確認応答信号は、前記連続クラスタ内で、１つまたは複数の確認応答信号と互いに直交する［１１］記載の無線通信装置。
［１５］  前記少なくとも１つのプロセッサは、さらに、離散フーリエ変換を用いて複数の周波数領域に拡散する［１４］記載の無線通信装置。
［１６］  前記確認応答信号は、データブロック復調成功のブール表示と、チャネル割当解除のブール表示とを含む［１１］記載の無線通信装置。
［１７］  前記逆方向リンクチャネルは、前記チャネル割当解除のブール表示に従って割当解除される[１６]記載の無線通信装置。
［１８］  前記確認応答信号は、確認応答／非確認応答とチャネル割当解除／非割当解除との全ての組合せに実質的に対応する、３つの状態をもつ３相シフトキーイング（ＰＳＫ）及びオフ状態とに対応する［１１］記載の無線通信装置。
［１９］  チャネル割当解除表示とともに逆方向リンク確認応答を送信することを容易にする無線通信装置であって、
モバイル機器についての持続逆方向リンクチャネルを管理する手段；
前記持続逆方向リンクチャネルを通じて通信を受信する手段；及び
前記モバイル機器へ、前記通信の復調移管する確認応答表示とチャネル割当解除表示とを含む確認応答信号を送信する手段；
を含む無線通信装置。
［２０］  前記確認応答信号を複数の周波数領域に多重化する手段をさらに含む［１９］記載の無線通信装置。
［２１］  前記確認応答信号を、相互に直交する確認応答信号の連続クラスタに拡散する手段をさらに含む［１９］記載の無線通信装置。
［２２］  前記確認応答信号は、確認応答／非確認応答とチャネル割当解除／非割当解除との全ての組合せに実質的に対応する、３つの状態をもつ３相シフトキーイング（ＰＳＫ）及びオフ状態とに対応する［１９］記載の無線通信装置。
［２３］  少なくとも１つのコンピュータに、確立された逆方向リンクからの通信の復調のステータスを決定させるコード；
前記少なくとも１つのコンピュータに、前記確立された逆方向リンクに関連するチャネル割当解除値を決定させるコード；及び
前記少なくとも１つのコンピュータに、一部を前記ステータス及び前記チャネル割当解除値に基づく選択された確認応答信号を変調させるコード；
を含むコンピュータ読み取り可能な媒体を含むコンピュータプログラム製品。
［２４］  前記コンピュータ読み取り可能な媒体は、さらに、
少なくとも１つのコンピュータに、ダイバーシティの促進のために、前記確認応答信号を複数の周波数領域に多重化させるコード；及び
少なくとも１つのコンピュータに、前記確認応答シンボルを、１つのタイル内の異なる複数のチャネルについての複数の確認応答シンボルを含む確認応答クラスタ中に拡散するコード；
を含む［２３］記載のコンピュータプログラム製品。
［２５］  逆方向リンクチャネルからの通信の復調のステータスを評価し、
チャネル割当解除値を前記逆方向リンクチャネルに関連付け、
一部を前記ステータス及び前記チャネル割当解除値に基づき選択された確認応答信号を送信するプロセッサ；及び
前記プロセッサに接続されたメモリ；
を含む無線通信装置。
［２６］  順方向リンク確認応答信号の解釈を容易にする方法であって、
逆方向リンク通信を送信すること；
前記逆方向リンク通信についての復調ステータスを示す少なくとも１つの確認応答信号を含む複数の確認応答信号の連続クラスタを受信すること；及び
前記逆方向リンク通信についての前記復調ステータスを示す確認応答信号を決定すること；
を含む方法。
［２７］  前記復調ステータスに基づき後続の通信を送信することをさらに含む［２６］記載の方法。
［２８］  前記逆方向リンク通信が送信される持続逆方向リンクチャネルの確立を要求することをさらに含む［２６］記載の方法。
［２９］  前記確認された確認応答信号は、さらにチャネル割当解除インジケータを示す［２６］記載の方法。
［３０］  少なくとも一部を前記チャネル割当解除インジケータに基づき、新たな逆方向リンクチャネルを要求することをさらに含む［２９］記載の方法。
［３１］  前記逆方向リンク通信についての前記変調ステータスを示す前記確認応答信号は、前記複数の確認応答信号を復号するために、最小平均二乗誤差（ＭＭＳＥ）を用いて決定される［２６］記載の方法。
［３２］  確認応答誤りを低減するために、少なくとも一部を前記クラスタに基づき前記確認応答信号を確認することをさらに含む［２６］記載の方法。
［３３］  前記確認応答信号は、確認応答／非確認応答とチャネル割当解除／非割当解除との全ての組合せに実質的に対応する、３つの状態をもつ３相シフトキーイング（ＰＳＫ）及びオフ状態とに対応する［２６］記載の方法。
［３４］  確認応答値及びチャネル割当解除値を含む、基地局からの確認応答信号を受信及び解釈する少なくとも１つのプロセッサと、
前記少なくとも１つのプロセッサに接続されたメモリと、
を含む無線通信装置。
［３５］  前記少なくとも１つのプロセッサは、さらに、前記基地局からの持続逆方向リンク通信チャネルを要求する［３４］記載の無線通信装置。
［３６］  前記少なくとも１つのプロセッサは、さらに、後に、前記確認応答信号の多重化と拡散とのうちの少なくとも１つに用いられる識別子を、前記要求とともに送信する［３５］記載の無線通信装置。
［３７］  前記少なくとも１つのプロセッサは、さらに、少なくとも一部を前記確認応答信号の多重化または拡散に基づき前記確認応答信号を確認する［３６］記載の無線通信装置。
［３８］  前記少なくとも１つのプロセッサは、さらに、前記チャネル割当解除値に基づき、異なる基地局からの新たな逆方向リンク通信チャネルを要求する［３４］記載の無線通信装置。
［３９］  前記少なくとも１つのプロセッサは、さらに、前記基地局へ１つまたは複数のデータブロックを送信し、前記確認応答は、少なくとも一部を、前記基地局による前記複数のデータブロックの復調に基づく［３４］記載の無線通信装置。
［４０］  前記確認応答信号は、確認応答／非確認応答とチャネル割当解除／非割当解除との全ての組合せに実質的に対応する、３つの状態をもつ３相シフトキーイング（ＰＳＫ）及びオフ状態とに対応する［３４］記載の無線通信装置。
［４１］  順方向リンク確認応答信号の受信及び解釈を容易にする無線通信装置であって、
データブロックを送信する手段；
連続クラスタ内で互いに直交する複数の確認応答信号を受信する手段；及び
前記複数の確認応答信号のうちどれが前記送信されたデータブロックに関連するかを決定する手段；
を含む無線通信装置。
［４２］  前記決定された確認応答信号に基づき、後続のデータブロックを送信する手段をさらに含む［４１］記載の無線通信装置。
［４３］  前記データブロックを送信する持続逆方向リンクチャネルの確立を要求する手段をさらに含む［４１］記載の無線通信装置。
［４４］  前記決定された確認応答信号は、さらに、チャネル割当解除インジケータを示す［４１］記載の無線通信装置。
［４５］  少なくとも一部を前記チャネル割当解除インジケータに基づき、新たな逆方向リンクチャネルを要求する手段をさらに含む［４４］記載の無線通信装置。
［４６］  確認応答誤りを低減するために、少なくとも一部を、前記連続クラスタの構成に基づき、前記決定された確認応答信号を確認する手段をさらに含む［４１］記載の無線通信装置。
［４７］  前記決定された確認応答信号は、確認応答／非確認応答とチャネル割当解除／非割当解除との全ての組合せに実質的に対応する、３つの状態をもつ３相シフトキーイング（ＰＳＫ）及びオフ状態とに対応する［４１］記載の無線通信装置。
［４８］  少なくとも１つのコンピュータに、逆方向リンク通信を送信させるコード；
前記少なくとも１つのコンピュータに、前記逆方向リンク通信についての復調ステータスを示す少なくとも１つの確認応答信号を含む複数の確認応答信号の連続クラスタを受信させるコード；及び
前記少なくとも１つのコンピュータに、前記逆方向リンク通信についての前記復調ステータスを示す確認応答信号を決定させるコード；
を含むコンピュータ読み取り可能媒体を含むコンピュータプログラム製品。
［４９］  前記コンピュータ読み取り可能媒体は、
少なくとも１つのプロセッサに、前記逆方向リンク通信が送信される持続逆方向リンクチャネルの確立を要求させるコードをさらに含む［４８］記載のコンピュータプログラム製品。
［５０］  逆方向リンク通信を送信し、
前記逆方向リンク通信についての復調ステータスを示す少なくとも１つの確認応答信号を含む複数の確認応答信号の連続クラスタを受信し、
前記逆方向リンク通信についての前記復調ステータスを示す確認応答信号を決定するプロセッサと；
前記プロセッサに接続されたメモリと；
を含む無線通信装置。
【図１】
0005415272.tif 000006
【図２】
0005415272.tif 000007
【図３】
0005415272.tif 000008
【図４】
0005415272.tif 000009
【図５】
0005415272.tif 000010
【図６】
0005415272.tif 000011
【図７】
0005415272.tif 000012
【図８】
0005415272.tif 000013
【図９】
0005415272.tif 000014
【図１０】
0005415272.tif 000015
【図１１】
0005415272.tif 000016
【図１２】
0005415272.tif 000017